(57)【特許請求の範囲】
【請求項１】
一方の面を印字面として鏡文字が印字される透明な第１のシート基材の他方の面に、第１疑似接着剤層と第１接着剤層とが積層された第１のシートと、一方の面を印字面として印字が施される透明若しくは不透明な第２のシート基材の他方の面に、第２疑似接着剤層と第２接着剤層とが積層された第２のシートとを含み、
前記鏡文字を印字した第１のシート基材に前記第２接着剤層を重ね合わせて第１のシートと第２のシートとを一体化した状態と、前記第２のシートに設けられた前記第２疑似接着剤層における疑似接着を剥離した状態のいずれの状態においても前記鏡文字が隠蔽された状態に保たれることを特徴とする貼付シート。
【請求項２】
前記第２のシートは、第１のシート基材に重ね合わされたときに、第２疑似接着剤層の剥離界面と第１のシート基材との間に不透明な層が位置するように構成されていることを特徴とする請求項１記載の貼付シート。
【請求項３】
前記第２のシート基材は不透明であるとともに、複数に分割可能な切り込みを備えていることを特徴とする請求項１記載の貼付シート。
【発明の詳細な説明】
【技術分野】
【０００１】
本発明は貼付シートに係り、更に詳しくは、秘匿情報を隠蔽した状態で被着体に貼付することができ貼付シートに関する。
【背景技術】
【０００２】
近時、インターネットやテレビショッピング等の普遍的な拡大に伴い、従来の店頭販売に加えて通信販売が普及するに至り、配送業者が販売者に代わって商品を消費者に届ける流通形態が多く見られるようになっている。そのため、配送伝票を通じて商品に関する情報、例えば、商品名、商品価格等が漏洩し得ることとなる。これらの情報は、消費者が購入した商品が何であるかを特定するため、消費者のプライバシーに大きく関わる秘匿情報であるとともに、商品価格は、商品価値を把握できるため、流通過程における盗難防止を図る観点からも秘匿情報といえる。
【０００３】
特許文献１には配送伝票が開示されている。同配送伝票は、表面に印字が施されるとともに、裏面に接着剤層を備えた第１の伝票と、この第１の伝票に疑似接着するとともに表面に印字が施された第２の伝票とにより構成されている。
【０００４】
【特許文献１】特開２００３−１１５５１号公報
【発明の開示】
【発明が解決しようとする課題】
【０００５】
しかしながら、特許文献１に開示された配送伝票にあっては、第１の伝票に印字された情報の一部を第２の伝票で隠蔽できるものの、当該第２の伝票を第１の伝票から剥離したときに、第１の伝票に印字された内容が現れてしまうものとなっており、情報の秘匿性を担保することができない、という不都合がある。
【０００６】
［発明の目的］
本発明は、このような不都合に着目して案出されたものであり、その目的は、配送伝票等に適用したときに、当該配送伝票に印字された秘匿情報についての秘匿性を確実に担保することのできる貼付シートを提供することにある。
【課題を解決するための手段】
【０００７】
前記目的を達成するため、本発明は、一方の面を印字面として鏡文字が印字される透明な第１のシート基材の他方の面に、第１疑似接着剤層と第１接着剤層とが積層された第１のシートと、一方の面を印字面として印字が施される透明若しくは不透明な第２のシート基材の他方の面に、第２疑似接着剤層と第２接着剤層とが積層された第２のシートとを含み、
前記鏡文字を印字した第１のシート基材に前記第２接着剤層を重ね合わせて第１のシートと第２のシートとを一体化した状態と、前記第２のシートに設けられた前記第２疑似接着剤層における疑似接着を剥離した状態のいずれの状態においても前記鏡文字が隠蔽された状態に保たれる、という構成を採っている。
【０００８】
本発明において、前記第２のシートは、第１のシート基材に重ね合わされたときに、第２疑似接着剤層の剥離界面と第１のシート基材との間に不透明な層が位置するように構成することができる。
【０００９】
また、前記第２のシート基材は不透明であるとともに、複数に分割可能な切り込みを備えて構成することができる。
【００１０】
本発明における疑似接着剤層は、複数、例えば、二層の積層フイルムによって構成され、それらの界面で剥離可能に設けることができる。疑似接着形成層に用いるフイルムとしては、例えば、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せた積層フイルムを疑似接着剤層とすることができる。
また、本発明において、「印字」は、文字、記号、図形又はこれらの任意の組合せを含む概念として用いられ、「透明」は半透明をも含み、「不透明」は隠蔽性があるものをも含む。
【発明の効果】
【００１１】
本発明によれば、第２のシート基材は第２疑似接着剤層で剥離されることとなる。従って、第２疑似接着剤層の剥離界面と第１のシート基材との間に不透明な層が位置するように構成したときに、第１のシート基材に印字された情報は、第２のシート基材を剥離しても見ることができない。また、第１のシート基材に印字された情報を鏡文字とすることで、第１疑似接着剤層を剥離することにより、第１のシート基材の裏面側（第１疑似接着剤層側）から視認可能となる。従って、本発明に係る貼付シートが配送伝票に適用された場合において、前記第２のシート基材に「送り主」や「届け先」等、公開しても不都合のない情報を印字するとともに、受取人による受領印捺印欄等を設けて第２のシート基材を配達人が剥離して持ち帰るものとし、第１のシート基材に印字された「商品名」や「金額」等の秘匿情報は、受取人が第１疑似接着剤層で剥離しない限り、秘匿した状態に保たれることになる。また、第１疑似接着剤層で剥離されたシートは、接着剤が露出していないので、受取人は紙の納品書や購入証明書と同様に保管することができる。
更に、第１のシートと第２のシートとは、基本的に同じ層構成であるために、コストを安く抑えることができるうえ、シート自体の厚みに関しても大差なく構成できるので、それぞれのシートに印字を行うプリンタ等の印字手段における設定も同じ設定で行うことができるため、機械特性もよくなる。
【００１２】
また、前記第２のシート基材が不透明で複数に分割できる切り込みを備えた構成である場合には、切り取って持ち帰る領域から外れた位置で前記第１のシート基材に鏡文字を印字しておくことで、第２疑似接着剤層における第２接着剤層側のフイルム層が透明であってもよく、これにより、第２疑似接着剤層を第１疑似接着剤層と同様に構成できることになる。
【発明を実施するための最良の形態】
【００１３】
以下、本発明の実施の形態について図面を参照しながら説明する。
【００１４】
図１には、宅配商品等の配送伝票に本発明の貼付シートＳが適用された実施形態に係る概略斜視図が示され、図２には、その分解側面図が示されている。これらの図において、宅配商品等の梱包体となる被着体Ｗに貼付シートＳが貼付されている。この貼付シートＳは、略方形の平面形状を有する第１のシートＳ１と、この第１のシートＳ１よりも小さい略方形の平面形状を有する第２のシートＳ２とにより構成されている。
【００１５】
前記第１のシートＳ１は、図２に示されるように、一方の面（上面）を印字面１０Ａとして鏡文字１０ａが印字される透明な第１のシート基材１０と、当該第１のシート基材１０の他方の面（下面）に順次積層された第１疑似接着剤層１１と、配送商品等の梱包体となる被着体Ｗに接着する第１接着剤層１２とにより構成されている。第１疑似接着剤層１１は、ポリスチレンからなる第１フイルム層１１Ａと、当該第１フイルム層１１Ａの上面側に位置する低密度ポリエチレンからなる第２フイルム層１１Ｂとからなり、これら第１及び第２フイルム層１１Ａ、１１Ｂの界面で剥離可能となっている。ここで、前記鏡文字１０ａは、本実施形態では、例えば、配送商品の納品書として機能するように、品名、金額等を含む秘匿情報が印字され、前記第１、第２フイルム層１１Ａ、１１Ｂの界面で第１のシート基材１０を剥離して裏面側から見たときに、鏡文字１０ａが正しい向きで視認できるようになっている。なお、第１のシートＳ１は、第１接着剤層１２側に図示しない剥離シートが仮着されている。
【００１６】
前記第２のシートＳ２は、一方の面（上面）を印字面１５Ａとして印字１５ａが施される不透明な第２のシート基材１５と、この第２のシート基材１５の他方の面（下面）に順次積層された第２疑似接着剤層１６と、前記第１のシート基材１０に重ね合わせて接着される第２接着剤層１７とにより構成されている。第２疑似接着形成層１６は、前記第１の疑似接着剤層１１と同様に、ポリスチレンからなる第３フイルム層１６Ａと、当該第３フイルム層１６Ａの上面側に位置する低密度ポリエチレンからなる第４フイルム層１６Ｂとからなり、これら第３フイルム層１６Ａと第４フイルム層１６Ａとの界面で剥離可能となっている。ここで、第３フイルム層は不透明に設けられており、第３、第４フイルム層１６Ａ、１６Ｂの界面で第２のシート基材１５を剥離しても、前記第１のシート基材１０に印字された鏡文字１０ａが第３フイルム層１６Ａを通じて見えることがないようになっている。また、第２のシート基材１５の印字１５ａは、本実施形態では、例えば、配送商品の「届け先」や「送り主」等の表示の他、「受領印」の捺印欄が印字され、配達員が第２のシート基材１５を剥離して持ち帰るものとして構成されている。なお、第２のシートＳ２は、第２接着剤層１７側に図示しない剥離シートが仮着されている。
【００１７】
次に本実施形態における貼付シートＳの使用方法について説明する。
【００１８】
先ず、第１のシートＳ１において、前記第１のシート基材１０の印字面１０Ａに、前述した秘匿情報としての鏡文字１０ａが印字される一方、第２のシートＳ２における第２のシート基材１５の印字面１５Ａに受取人等の印字１５ａが施される。
【００１９】
そして、第２のシートＳ２における図示しない剥離シートを剥離して第２接着剤層１７を表出させた後、当該第２接着剤層１７を介して第１のシートＳ１に接着して両者を一体化し、貼付シートＳとする。
【００２０】
次いで、第１のシートＳ１における第１接着剤層１２に仮着されている図示しない剥離シートを剥離して第１接着剤層１２を表出した後、当該第１接着剤層１２を介して貼付シートＳを被着体Ｗに貼付する。
【００２１】
貼付シートＳが貼付された宅配商品が受取人に配達された際には、図３に示されるように、配達人は第２のシート基材１５の受領印欄に受取人印鑑の押印Ｎを受けた後、第２のシート基材１５を剥離して当該第２のシート基材１５を持ち帰ることとなる。この剥離は、前述した第３、第４フイルム層１６Ａ、１６Ｂの界面で行われることとなる。この際、第１のシートＳ１上には第２接着剤層１７を介して第３フイルム層１６Ａが残ることになるが、当該第３フイルム層１６Ａは不透明であるため、第１のシート基材１０上の鏡文字１０ａが透けて見えることはない。
【００２２】
受取人は、図４に示されるように、第１のシート基材１０を剥離することにより、その裏面側から鏡文字１０ａを正しい向きで視認することができるとともに、当該第１のシート基材Ｓ１を接着剤が露出しないシート片として保管することができる。この第１のシート基材１０の剥離は、第１フイルム層１１Ａと第２フイルム層１１Ｂとの界面で行われ、被着体Ｗ上には、第１接着剤層１２と第１フイルム層１１Ａが残ることとなる。
【００２３】
従って、このような実施形態によれば、第１のシート基材１０の印字面１０Ａに印字された鏡文字１０ａの内容は、例え、配送業者といえども見ることができないので、通信販売等における配送伝票として利用することで、個人のプライバシーを確実に守ることが可能な貼付シートを提供することができる。
また、第１のシート基材１０及び第２のシート基材１５は、それぞれ第１疑似接着剤層１１及び第２疑似接着剤層１６の層間で剥離できるので、容易に剥離することが可能となる。
【００２４】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２５】
例えば、図５及び図６に示されるように、第２のシート基材１５を複数に分割可能とする切り込み２０を設け、この切り込み２０の図中左側を配達員が持ち帰るようにしてもよい。この場合、切り込み２０の図中右側領域において、前記第１のシート基材１０に鏡文字１０ａを印字すれば、第３フイルム層１６Ａを不透明に設ける必要はなく、第２疑似接着剤層１６を第１疑似接着剤層１１と同一構造で構成することができる。
【００２６】
また、前記実施形態では、前記第２のシート基材１５が不透明である場合を説明したが、第２フイルム層１６Ａ又は第２接着剤層１７を不透明とする限り、第２のシート基材１５は透明であってもよい。
【００２７】
更に、本発明に係る貼付シートＳの層数は、図示構成例に限定されるものではなく、同様の作用を奏する限り、必要に応じて増減させることができる。
【００２８】
また、前記実施形態では、第３フイルム層１６Ａを不透明とし、第１のシート基材１０に印字された鏡文字１０ａが透けて見えることがないように構成したが、第２疑似接着剤層の剥離界面と第１のシート基材１０との間に、更に不透明な層を設けるようにして鏡文字１０ａが透けて見えないように構成してもよい。
【００２９】
更に、貼付シートＳは宅配商品の配送伝票に限らず、秘匿情報を外部に漏れることなく隠蔽する必要が要請されるその他のラベル等に適用してもよく、また、貼付シートＳの平面形状、第１及び第２のシートＳ１、Ｓ２の相対平面積等、秘匿情報を隠蔽できる限りにおいて種々変更することができる。
【００３０】
更に、第１のシート基材１０及び第２のシート基材１５を初期剥離を容易とするための切り欠き又は切り込み若しくは突片等を設けることもできる。
【図面の簡単な説明】
【００３１】
【図１】本発明に係る貼付シートが配送伝票に適用された実施形態を示す概略斜視図。
【図２】前記貼付シートの層構造を示す分解側面図。
【図３】第２のシート基材を剥離する状態を示す概略斜視図。
【図４】第１のシート基材を剥離する状態を示す概略斜視図。
【図５】変形例を示す図１と同様の概略斜視図。
【図６】図５の分解側面図。
【符号の説明】
【００３２】
１０Ａ、１５Ａ  印字面
１０ａ鏡文字
１０  第１のシート基材
１１  第１疑似接着剤層
１１Ａ  第１フイルム層
１１Ｂ  第２フイルム層
１２  第１接着剤層
１５  第２のシート基材
１５ａ  印字
１６  第２疑似接着剤層
１６Ａ  第３フイルム層
１６Ｂ  第４フイルム層
１７  第２接着剤層
２０  切り込み
Ｓ  貼付シート
Ｓ１  第１のシート
Ｓ２  第２のシート
Ｗ  被着体
【図１】
0004847416.tif 000002
【図２】
0004847416.tif 000003
【図３】
0004847416.tif 000004
【図４】
0004847416.tif 000005
【図５】
0004847416.tif 000006
【図６】
0004847416.tif 000007